(57)【要約】【課題】ＶＨＦ７チャンネルにテレビ信号がなく８チャンネルにテレビ信号が存在する受信条件下でオート・プリセットやオート・サーチ動作を行うと、あたかも７チャンネルにテレビ信号が有るかのような誤動作を生じることがある。【解決手段】オート・プリセット動作時及びオート・サーチ動作時に、７チャンネル受信時のチューナーの局部発振周波数を正規同調周波数より0.5MHz低く設定することにより、８チャンネル映像搬送波信号を中間周波数帯域選択フィルターのトラップに落とし込み、その受信感度を低下させることにより誤動作を低減する。【選択図】図４
2006067624.tif 000002
【特許請求の範囲】
【請求項１】
テレビ放送波のサーチ選局動作またはオート・プリセット動作時にＶＨＦ７チャンネルの同調選局用局部発振周波数を正規周波数より０．５ＭＨｚ程度乃至２．０ＭＨｚ低く設定することを特徴とするテレビ受信機。
【請求項２】
テレビ放送波のサーチ選局動作またはオート・プリセット動作時にＶＨＦハイ・バンド全チャンネルの同調選局用局部発振周波数を正規周波数より０．５ＭＨｚ程度乃至２．０ＭＨｚ低く設定することを特徴とするテレビ受信機。
【請求項３】
テレビ放送波のサーチ選局動作またはオート・プリセット動作時にＶＨＦ全チャンネルの同調選局用局部発振周波数を正規周波数より０．５ＭＨｚ程度乃至２．０ＭＨｚ低く設定することを特徴とするテレビ受信機。
【請求項４】
テレビ放送波のサーチ選局動作またはオート・プリセット動作時にＶＨＦ／ＵＨＦ全チャンネルの同調選局用局部発振周波数を正規周波数より０．５ＭＨｚ程度乃至２．０ＭＨｚ低く設定することを特徴とするテレビ受信機。
【請求項５】
映像信号と音声信号を別々に検波する方式において、テレビ放送波のサーチ選局動作またはオート・プリセット動作時に、ＶＨＦ８チャンネルの映像搬送波が中間周波フィルターの受信チャンネル用音声トラップで除去されるように７チャンネルの同調選局用局部発振周波数を正規周波数よりずらすことを特徴とするテレビ受信機。
【請求項６】
インター・キャリア音声検波方式において、テレビ放送波のサーチ選局動作またはオート・プリセット動作時に、ＶＨＦ８チャンネルの映像搬送波が中間周波フィルターの上側隣接チャンネル用映像トラップで除去されるように７チャンネルの同調選局用局部発振周波数を正規周波数よりずらすことを特徴とするテレビ受信機。
【発明の詳細な説明】
【技術分野】
【０００１】
本発明は、サーチ選局機能やオート・プリセット機能を有するテレビ受信機に関するものである。
【背景技術】
【０００２】
最近のテレビ受信機における選局操作は、図１に示すようにマイコン制御によるものが大部分で、特に据置き型の高級機種や車載用のテレビ受信機においては、周波数の安定度向上による受信品位の確保から周波数シンセサイザー方式が採用されている。
【０００３】
図１はスプリット・キャリア方式音声検波を採用したテレビ受信機の概略ブロック図を示すが、アンテナで受信されたテレビ信号はＰＬＬ内蔵チューナー１で選局及び周波数変換された後、中間周波数としてＳＡＷフィルターに供給される。映像用ＳＡＷフィルター２では両側隣接チャンネルの映像／音声信号及び受信チャンネルの音声信号を除去した映像信号のみを抽出し、映像検波回路３に供給する。映像検波回路では中間周波数増幅と検波が行われ、映像検波出力は復調回路１０で色復調された後、表示素子１１で映像表示される。また、映像検波出力は同期分離回路４で同期分離され、テレビの局検出信号用としてマイコンに供給される。マイコン５はＰＬＬ内蔵チューナー１を制御してチャンネルの選局動作を行う。更に、チューナー１からの中間周波信号は音声専用のＳＡＷフィルター６にも供給され、音声中間周波数のみが抽出されて音声検波回路７に供給される。音声検波回路では音声信号が増幅／検波され、音声検波出力は音声増幅回路８を介してスピーカ９を駆動している。
【０００４】
ところで、このような場合、送信された信号を出来るだけ忠実に再生するために、一般的に選局時の同調周波数が公的に定められたチャンネル周波数に一致するようにマイコン５によりチューナー１の局部発振周波数を制御している。そして、チャンネルの選局手段には色々便利な機能が採用されており、特に車載用テレビ受信機においては移動受信に配慮したオート・プリセット機能やオート・サーチ機能を持つことが一般化されている。ここで、オート・プリセットとは、キー操作により１チャンネルから６２チャンネルまで自動的に掃引し、その場所で受信できるテレビのチャンネル番号を記憶保持できるようにした機能である。また、オート・サーチとは、キー操作により受信チャンネル番号を自動的に掃引し、図６に示すマイコンのフロー・チャートのように、テレビ信号が受信できた時に掃引を停止してそのチャンネルが受信できるようにした機能である。
【発明の開示】
【発明が解決しようとする課題】
【０００５】
このようなオート・プリセット動作やオート・サーチ動作を実行した場合、放送波を受信した時にプリセットやサーチ停止をすることは当然であるが、ＶＨＦの７チャンネルに放送波がなく８チャンネルに放送波が存在するような状況下では、７チャンネルをプリセットしたり７チャンネルでサーチ停止する誤動作が発生することがある。このような場合、７チャンネルに放送波が存在しないことを予め知っていれば余り弊害はないが、知らない場合は当然放送波が存在するものと思われるので、期待を裏切られることになる。この現象は、図１に示すように、我国のチャンネル・プラン上７チャンネルと８チャンネルのチャンネル間隔が４ＭＨｚ（他のチャンネル間隔は６ＭＨｚ）しかなく両者の信号帯域が２ＭＨｚ重なっていることから、フィルターで隣接チャンネルの信号を除去しても８チャンネルから７チャンネルへの影響を排除し切れないために発生するものである。
【０００６】
上述のように、従来のテレビ受信機においては、ＶＨＦの７チャンネルにテレビ信号が無く８チャンネルに信号がある場合、オート・プリセット動作やオート・サーチ動作を実行すると、７チャンネルにテレビ信号が無いにも拘わらず８チャンネルの信号の影響であたかも７チャンネルに信号があるような動作をしてしまう不具合が存在する。
【０００７】
そこで、本発明ではこのような不具合を改善することを目的とする。
【課題を解決するための手段】
【０００８】
映像信号と音声信号を別々に検波する方式において、テレビ放送波のサーチ選局動作またはオート・プリセット動作時に、ＶＨＦ８チャンネルの映像搬送波が中間周波フィルターの受信チャンネル用音声トラップで除去されるように７チャンネルの同調選局用局部発振周波数を正規周波数よりずらすことを特徴とする。
【０００９】
局部発振周波数をずらし、８チャンネルのキャリアをＩＦフィルタのトラップで除去することにより、７チャンネルの局の有無を良好に判定することができる。
【００１０】
またインター・キャリア音声検波方式において、テレビ放送波のサーチ選局動作またはオート・プリセット動作時に、ＶＨＦ８チャンネルの映像搬送波が中間周波フィルターの上側隣接チャンネル用映像トラップで除去されるように７チャンネルの同調選局用局部発振周波数を正規周波数よりずらすことを特徴とする。
【００１１】
局部発振周波数をずらし、８チャンネルのキャリアをＩＦフィルタのトラップで除去することにより、７チャンネルの局の有無を良好に判定することができる。
【発明を実施するための最良の形態】
【００１２】
本発明では、オート・プリセット動作やオート・サーチ動作にＶＨＦ７チャンネル選局時の局部発振周波数を正規周波数より低く設定することにより、隣接する８チャンネルのテレビ信号の影響を排除し、結果的に７チャンネル無信号を有信号と誤判定する不具合を改善するものである。以下に本発明について、具体的な適用例をもとに説明する。
【実施例１】
【００１３】
図２に示したＶＨＦ７チャンネルと８チャンネルのテレビ信号の周波数関係を７チャンネル選局時の中間周波数に置き換えると図３の様になる。これは、音声検波をスプリット・キャリア方式またはクウォジ・パラレルのインター・キャリア方式で行う場合の中間周波数段の映像用ＳＡＷフィルター２の周波数特性例を示すものである。
【００１４】
図３において、仮に７チャンネルにテレビ信号があり、これを通常行われるように正規な局部発振周波数Ｌ７で受信すると、７チャンネルの映像搬送波Ｐ７は５８．７５ＭＨｚ、音声搬送波Ｓ７は５４．２５ＭＨｚとなる一方、隣接の８チャンネルの映像搬送波Ｐ８は、Ｐ７より４ＭＨｚ低い５４．７５ＭＨｚに位置することになる。ところが、この周波数での電圧利得は図から明らかなように７チャンネルの映像搬送波Ｐ７と同等なことから、７チャンネルの映像信号と同等な受信感度を有することになる。実際は７チャンネルにテレビ信号が無いため、８チャンネルの映像搬送波のみを受信することになるが、映像搬送波の前後の僅かな帯域の信号しか受信できないため、色の付かないボケた映像しか得られず音声も出力されないことになる。
【００１５】
ところで、オート・プリセットやオート・サーチ動作において、テレビ信号の有無の検出には通常水平同期信号が利用されるが、上記のように８チャンネルの信号を７チャンネルで受信した場合でも映像検波出力には一応正規信号受信時に近い水平同期信号が得られるため、これを利用したテレビ信号検出器（選局マイコンでソフト的に処理される場合もある）は正規なテレビ信号と区別できず、結果的に７チャンネルにテレビ信号有りの判定を下し、有信号としてプリセットしたりサーチ停止するという誤動作を引き起こすことになる。
【００１６】
そこで、本発明では図７のフロー・チャートに示すように、選局マイコンのソフト対応によりオート・プリセット動作やオート・サーチ動作時に７チャンネル受信時のチューナーの局部発振周波数を０．５ＭＨｚ低く設定することで、８チャンネルの映像搬送波の影響を排除するものである。
【００１７】
図３の従来例に対比させて、図４に本発明に基づくＳＡＷフィルター出力の周波数特性を示すが、図２に示した７チャンネル受信時の局部発振周波数を正規発振周波数Ｌ７（２４８ＭＨｚ）より０．５ＭＨｚ低くしたＬ７'（２４７．５ＭＨｚ）を用いると、８チャンネルの映像搬送波に対する中間周波数は５４．２５ＭＨｚとなり、ＳＡＷフィルターの音声トラップに落ち込むことになる結果、受信感度を従来に比べトラップ減衰量分（４５〜５０ｄＢ）だけ低下させることが出来る。
【００１８】
このことは、従来の誤動作しない８チャンネルの信号レベルが仮に３０ｄＢ（μＶ）であるとすると、本考案を採用することにより誤動作レベルが７５〜８０ｄＢ（μＶ）にまで引き上げられることになり、実使用上の受信エリアを考慮するとオート・プリセット誤動作やオート・サーチ誤動作を起こす可能性を大幅に軽減することが出来る。特に一般的な屋内使用のテレビ信号は大きくても７０ｄＢ前後を確保するようにレベル設定されることが多いため、誤動作の可能性を殆ど無くすことができる。また、車載テレビ受信機のような移動受信においても、送信所近辺の限られた強電界区域を除き、広大なエリアを占める中電界から弱電界地域で誤動作の発生を防ぐことが出来ることになる。
【００１９】
以上の説明では、局部発振周波数を０．５ＭＨｚ低くすることを条件としたが、ＳＡＷフィルターの特性上本発明の効果を得るのに必要な減衰量が確保できる場合は、局部発振周波数のシフト量を０．５ＭＨｚに限定する必要はなく、その前後の周波数とすることも可能である。
【００２０】
なお、オート・プリセットやオート・サーチ動作時に７チャンネルの局部発振周波数を０．５ＭＨｚ低くすると、７チャンネルにテレビ信号が存在する場合の正常なプリセット動作やサーチ動作に弊害を及ぼすことが懸念されるが、図４から解るように、７チャンネルの映像搬送波も本来の位置より０．５ＭＨｚ低いほうにずれる結果、反って電圧利得が増加することでむしろ動作感度を若干向上させる方向で弊害にはならない。
【００２１】
また、オート・プリセットやオート・サーチ動作以外の通常受信時は、７チャンネルの局部発振周波数を正規な同調周波数で用いている。
【００２２】
以上の説明では、オート・プリセットやオート・サーチ動作時に７チャンネルの局部発振周波数を０．５ＭＨｚ低くしたが、４〜１２チャンネルのＶＨＦハイ・バンドのみ又は１〜６２チャンネルまでの全てのチャンネルの局部発振周波数を一律に０．５ＭＨｚ低くしても弊害はなく同様な改善効果が得られることは明らかである。
【００２３】
また、局部発振周波数のシフト量も、更に１．５ＭＨｚずらして通常の隣接映像トラップと一致させるべく２ＭＨｚとしても良く、ＳＡＷフィルターの帯域外減衰量特性に合わせて任意に設定することが出来る。
【実施例２】
【００２４】
更に、以上の説明では、音声検波をスプリット・キャリア方式またはクウォジ・パラレルのインター・キャリア方式で行う場合を例に本発明の作用効果を述べてきたが、通常のインター・キャリア方式の音声検波を行う場合にも本発明を適用することによる誤動作の改善が可能である。但し、図５に示すように、インター・キャリア方式用のＳＡＷフィルターの周波数特性では、一般的に映像搬送波Ｐと音声搬送波Ｓの電圧利得上のレベル差（Ｐ−Ｓ偏差）は、音声受信感度と映像性バズ妨害との兼ね合いから２０〜２５ｄＢ程度に設定されるため、局部発振周波数のシフト量を０・５ＭＨｚとした場合では、本発明適用前と適用後の８チャンネル映像搬送波のレベル差は２０ｄＢ程度しか得られないことになり、改善効果も２０ｄＢ程度に留まることになる。しかし、局部発振周波数のシフト量を例えば２ＭＨｚまで拡大すれば、８チャンネルの映像搬送波を隣接チャンネル用の映像トラップ（５２．７５ＭＨｚ）に落とし込めることになるため、スプリット・キャリア方式またはクウォジ・パラレルのインター・キャリア方式で行う場合と同様な大幅な誤動作改善効果を得ることができることになる。
【００２５】
以上述べたように、本発明によれば、選局マイコンのソフト変更によるオート・プリセットやオート・サーチ動作時の７チャンネルの局部発振周波数を０．５ＭＨｚ低くするという極めて簡単な手段で、ＶＨＦ７チャンネル無信号時の８チャンネル信号によるプリセット誤動作やサーチ停止誤動作を大幅に改善することができ、実用受信電界では実質的に誤動作を解消することが出来るものである。
【図面の簡単な説明】
【００２６】
【図１】音声スプリット・キャリア方式のテレビ受信機における選局システムのブロック図。
【図２】テレビ信号の７チャンネル及び８チャンネルの周波数とチューナーの局部発振周波数の関係を示す図。
【図３】従来における映像用ＳＡＷフィルター周波数特性と８チャンネル映像搬送波との関係を示す図。
【図４】本発明における映像用ＳＡＷフィルター周波数特性と８チャンネル映像搬送波との関係を示す図。
【図５】インター・キャリア方式に本発明を適用した場合のＳＡＷフィルター周波数特性と８チャンネル映像搬送波との関係を示す図。
【図６】従来のオート・プリセットやオート・サーチ動作時のマイコンのフロー・チャート例を示す図。
【図７】本発明のオート・プリセットやオート・サーチ動作時のマイコンのフロー・チャート例を示す図。
【符号の説明】
【００２７】
１…チューナー、２…映像用ＳＡＷフィルター、３…増幅検波回路、４…同期分離回路、５…マイコン、６…音声用ＳＡＷフィルター、７…音声検波回路、８…音声処理回路、９…スピーカ、１０…映像復調回路、１１…画像表示器。
【図１】
2006067624.tif 000003
【図２】
2006067624.tif 000004
【図３】
2006067624.tif 000005
【図４】
2006067624.tif 000006
【図５】
2006067624.tif 000007
【図６】
2006067624.tif 000008
【図７】
2006067624.tif 000009
【手続補正書】
【提出日】平成17年11月24日(2005.11.24)
【手続補正１】
【補正対象書類名】特許請求の範囲
【補正対象項目名】全文
【補正方法】変更
【補正の内容】
【特許請求の範囲】
【請求項１】
映像信号と音声信号を別々に検波する方式のテレビ受信機において、テレビ放送波のサーチ選局動作またはオート・プリセット動作時に、第1のチャンネルの映像搬送波が中間周波フィルターの受信チャンネル用音声トラップまたは前記中間フィルターの隣接チャネル排除領域で除去されるように第1のチャンネルに隣接する第２のチャンネルの同調選局用局部発振周波数を正規周波数より約０．５ＭＨｚ乃至約２．０ＭＨｚ低く設定することを特徴とするテレビ受信機。
【請求項２】
請求項１に記載のテレビ受信機において、第１のチャンネルはＶＨＦの８チャンネルであり、第２のチャンネルはＶＨＦの７チャンネルであることを特徴とするテレビ受信機。
【請求項３】
インター・キャリア音声検波方式のテレビ受信機において、テレビ放送波のサーチ選局動作またはオート・プリセット動作時に、第1のチャンネルの映像搬送波が中間周波フィルターの上側隣接チャンネル用映像トラップで除去されるように第1のチャンネルに隣接する第２のチャンネルの同調選局用局部発振周波数を正規周波数より約２．０ＭＨｚ低く設定することを特徴とするテレビ受信機。
【請求項４】
請求項３に記載のテレビ受信機において、第１のチャンネルはＶＨＦの８チャンネルであり、第２のチャンネルはＶＨＦの７チャンネルであることを特徴とするテレビ受信機。
【手続補正２】
【補正対象書類名】明細書
【補正対象項目名】０００８
【補正方法】変更
【補正の内容】
【０００８】
映像信号と音声信号を別々に検波する方式のテレビ受信機において、テレビ放送波のサーチ選局動作またはオート・プリセット動作時に、第1のチャンネルの映像搬送波が中間周波フィルターの受信チャンネル用音声トラップまたは前記中間フィルターの隣接チャネル排除領域で除去されるように第1のチャンネルに隣接する第２のチャンネルの同調選局用局部発振周波数を正規周波数より約０．５ＭＨｚ乃至約２．０ＭＨｚ低く設定することを特徴とする。
さらに、前記テレビ受信機の第１のチャンネルはＶＨＦの８チャンネルであり、第２のチャンネルはＶＨＦの７チャンネルであることを特徴とする。
【手続補正３】
【補正対象書類名】明細書
【補正対象項目名】００１０
【補正方法】変更
【補正の内容】
【００１０】
インター・キャリア音声検波方式のテレビ受信機において、テレビ放送波のサーチ選局動作またはオート・プリセット動作時に、第1のチャンネルの映像搬送波が中間周波フィルターの上側隣接チャンネル用映像トラップで除去されるように第1のチャンネルに隣接する第２のチャンネルの同調選局用局部発振周波数を正規周波数より約２．０ＭＨｚ低く設定することを特徴とする。
さらに、前記テレビ受信機の第１のチャンネルはＶＨＦの８チャンネルであり、第２のチャンネルはＶＨＦの７チャンネルであることを特徴とする。